(57)【要約】【課題】簡易な構造で所定の状態を無作為に現出できる状態現出装置を提供すること。【解決手段】環状に延びた環状路５を備えた支持体２と、環状路５の延長方向に沿って各々が移動可能に配置された、複数個から成る移動体３，３‥と、移動体３，３‥に摩擦接触しており、環状路５に沿って移動操作可能に配置された操作体４とを少なくとも有し、各体が互いに重合して構成されており、移動体３，３‥若しくは操作体４の少なくとも何れかに、操作体４の移動操作により移動する識別子３ａが設けられ、操作体４の移動操作により複数個の移動体３，３‥を環状路５の延長方向に沿って移動させることで、各体が互いに相対移動し、各体が漸次減速して静止することで、各体の静止状態における識別子３ａの位置に基づき、所定の状態が現出されるように成っている。【選択図】図１
2011078621.tif 000002
【特許請求の範囲】
【請求項１】
環状に延びた環状路を備えた支持体と、
前記支持体の前記環状路の延長方向に沿って各々が移動可能に配置された、少なくとも一群の複数個から成る移動体と、
前記移動体に摩擦接触しており、該移動体を前記環状路に沿って移動操作可能に配置された操作体とを少なくとも有し、前記各体が互いに重合して構成されており、
前記移動体若しくは前記操作体の少なくとも何れかに、該操作体の移動操作により移動する識別子が設けられ、
前記操作体の移動操作により前記複数個の移動体を前記環状路の延長方向に沿って移動させることで、前記各体が互いに相対移動し、該各体の相対移動が漸次減速して静止することで、前記各体の静止状態における前記識別子の位置に基づき、所定の状態が現出されるように成っていることを特徴とする状態現出装置。
【請求項２】
前記複数個の移動体及び前記操作体は、各々が略球体形状に形成されており、前記環状路は、平面視略円環形状に形成されていることを特徴とする請求項１に記載の状態現出装置。
【請求項３】
前記複数個の移動体は、各々が略同径の略球体形状に形成されていることを特徴とする請求項２に記載の状態現出装置。
【請求項４】
前記識別子は、前記複数個の移動体のうち視覚的に識別された少なくとも1個の識別体であることを特徴とする請求項１ないし３のいずれかに記載の状態現出装置。
【請求項５】
前記支持体に、該支持体の前記環状路を延長方向に所定数に区分けした各延長域に対応し各々が表示された複数の表示部が設けられ、前記所定の状態は、前記各体の静止状態における前記識別子と前記複数の表示部との相対位置に基づき、現出されるように成っていることを特徴とする請求項１ないし４のいずれかに記載の状態現出装置。
【請求項６】
前記操作体と前記複数個の移動体とは、何れもガラス体から成ることを特徴とする請求項１ないし５のいずれかに記載の状態現出装置。
【発明の詳細な説明】
【技術分野】
【０００１】
本発明は、使用者の操作の結果として所定の状態が無作為に現出される状態現出装置に関する。
【背景技術】
【０００２】
従来の状態現出装置には、例えば占い等の分野で用いられる状態現出装置があり、予め色分けされた複数個の玉から無作為に所定数の玉を選出し、選出した所定数の玉の色に基づいて、複数の表示部の中から特定の表示部が現出されるものがある（例えば、特許文献１参照）。
【０００３】
また、他の状態現出装置には、複数の数字が表示された盤に玉を投じることで、この玉が投入された溝に応じた数字が特定の数字として現出される、いわゆるルーレット盤がある（例えば、特許文献２参照）。
【先行技術文献】
【特許文献】
【０００４】
【特許文献１】特開平８−２２４３６８号公報（第３頁、第１図）
【特許文献２】特開２００６−３４６３７４号公報（第３頁、第１図）
【発明の概要】
【発明が解決しようとする課題】
【０００５】
しかしながら、特許文献１，２にあっては、所定の状態を現出するために用いる状態現出装置の構造が複雑という問題がある。
【０００６】
本発明は、このような問題点に着目してなされたもので、簡易な構造で所定の状態を無作為に現出できる状態現出装置を提供することを目的とする。
【課題を解決するための手段】
【０００７】
前記課題を解決するために、本発明の状態現出装置は、
環状に延びた環状路を備えた支持体と、
前記支持体の前記環状路の延長方向に沿って各々が移動可能に配置された、少なくとも一群の複数個から成る移動体と、
前記移動体に摩擦接触しており、該移動体を前記環状路に沿って移動操作可能に配置された操作体とを少なくとも有し、前記各体が互いに重合して構成されており、
前記移動体若しくは前記操作体の少なくとも何れかに、該操作体の移動操作により移動する識別子が設けられ、
前記操作体の移動操作により前記複数個の移動体を前記環状路の延長方向に沿って移動させることで、前記各体が互いに相対移動し、該各体の相対移動が漸次減速して静止することで、前記各体の静止状態における前記識別子の位置に基づき、所定の状態が現出されるように成っていることを特徴としている。
この特徴によれば、操作体の移動操作により複数個の移動体を環状路の延長方向に沿って移動させることで、操作体及び前記移動体の各体が互いに相対移動し、各体の相対移動が漸次減速して静止することで、各体の静止状態における識別子の位置に基づき、所定の状態が現出されるように成っており、状態現出装置の互いに重合した各体の摩擦接触による相対移動のみの簡易な構造で、所定の状態を無作為に現出することができる。
【０００８】
本発明の状態現出装置は、
前記複数個の移動体及び前記操作体は、各々が略球体形状に形成されており、前記環状路は、平面視略円環形状に形成されていることを特徴としている。
この特徴によれば、平面視略円環形状に形成された環状路の上方から、略球体形状に形成された操作体を載置することで、操作体が略球体形状に形成された移動体のみに摩擦接触して支持されるため、略球体形状の操作体の支持構造を簡略化して位置決めできる。
【０００９】
本発明の状態現出装置は、
前記複数個の移動体は、各々が略同径の略球体形状に形成されていることを特徴としている。
この特徴によれば、複数個の移動体は、各々が略同径の略球体形状に形成されていることで、略球面形状に形成された操作体の外周面を、環状路に配置した複数の移動体に等しく且つ安定的に載置して支持でき、この操作体を環状路の周方向に回転させることで、各々の移動体に対し環状路に沿って移動させる駆動力を均一に与えることができる。
【００１０】
本発明の状態現出装置は、
前記識別子は、前記複数個の移動体のうち視覚的に識別された少なくとも1個の識別体であることを特徴としている。
この特徴によれば、識別子が、操作体を介して移動する複数個の移動体のうちの識別体であることで、所定の状態を現出する無作為性が高まるばかりか、識別体を目視で容易に識別できる。
【００１１】
本発明の状態現出装置は、
前記支持体に、該支持体の前記環状路を延長方向に所定数に区分けした各延長域に対応し各々が表示された複数の表示部が設けられ、前記所定の状態は、前記各体の静止状態における前記識別子と前記複数の表示部との相対位置に基づき、現出されるように成っていることを特徴としている。
この特徴によれば、所定の状態が、支持体の環状路を延長方向に所定数に区分けした各延長域に対応し各々が表示された複数の表示部と、識別子との相対位置に基づき現出されるため、状態現出装置単体で所定の状態を現出できる。
【００１２】
本発明の状態現出装置は、
前記操作体と前記複数個の移動体とは、何れもガラス体から成ることを特徴としている。
この特徴によれば、互いに摩擦接触している操作体と移動体とが、何れもガラス体から成るため、互いの摩擦抵抗を低く抑え、各体の相対移動が漸次減速し静止するまでの時間、すなわち特定表示部が選出されるまでの時間を長く取ることができ、期待感がより一層高まる。
【図面の簡単な説明】
【００１３】
【図１】実施例における状態現出装置を示す斜視図である。
【図２】実施例における環状路を開放した状態を示す斜視図である。
【図３】実施例における（ａ）は、状態現出装置を示す正面図であり、（ｂ）は、（ａ）と同じく正面断面図である。
【図４】実施例における状態現出装置を示す平面図である。
【図５】変形例における状態現出装置を示す正面断面図である。
【発明を実施するための形態】
【００１４】
本発明に係る状態現出装置を実施するための形態を実施例に基づいて以下に説明する。
【実施例】
【００１５】
実施例に係る状態現出装置につき、図１から図４を参照して説明する。
【００１６】
本発明の状態現出装置は、例えば吉凶が表示された複数の表示部から所定の状態としての占形を無作為に現出する易・風水等の占いの類として用いられ、若しくは所定の状態としての数字を無作為に選出するさいころ又はルーレットの類として用いられる装置である。図１に示されるように、本実施例における状態現出装置１は、表示部Ｅ，Ｅ‥として「１」乃至「１２」の数字の中から所定の状態として特定の数字を選出するために用いられる。
【００１７】
状態現出装置１は、環状に延びた環状路５と複数の表示部Ｅ，Ｅ‥とを備えた支持体２と、環状路５上に載置された複数個の移動体としての移動玉３，３‥と、複数個の移動玉３，３‥を環状路５の延長方向に沿って移動操作可能に載置された操作体としての操作玉４とを有し、上方から下方に向けて支持体２、移動玉３，３‥、操作玉４の順に、重力により互いに重合して構成されている。
【００１８】
支持体２は、平面視略円形状であって底面が平面状に形成された支持板２ａと、この支持板２ａに一体に固着された略円錐台形状の台座２ｂとから成り、これ等支持板２ａ及び台座２ｂは、透光性を有するガラス体を研磨加工したものである。
【００１９】
図２，図４に示されるように、台座２ｂの上面には、平面視略円環形状であって全周に亘って側断面視略凹形状の環状路５が形成されており、また環状路５の内径側に平面視凹状の曲面を成す窪み部６が形成されている。環状路５について詳しくは、水平方向に平面状に形成された内底面５ａと、垂直方向に平面状に形成された外径側の内側面５ｂとを備え、後述する複数個の移動玉３，３‥を内部に収容している。
【００２０】
また台座２ｂの外周面には、台座２ｂの平面視中心点Ｏから放射方向に延びる仕切線Ｌ，Ｌ‥が、所定角の等角度毎に複数本（本実施例では３０度毎に１２本）描かれており、隣り合った仕切線Ｌ，Ｌ‥同士の間に、表示部Ｅ，Ｅ‥として「１」から「１２」までの互いに異なる数字が表示されている。これ等仕切線Ｌ，Ｌ‥は、各々の仕切線Ｌ，Ｌ‥と中心点Ｏとを結ぶ仮想延長線Ｌ’，Ｌ’‥により、環状路５を延長方向に等間隔の１２区域の延長域に区分けしていることを意味し、「１」から「１２」までの数字は、環状路５を区分けした各延長域に対応して表示されていることを意味する。
【００２１】
表示部Ｅ，Ｅ‥は、台座２ｂの外周面に描かれていてもよいし、本実施例のように台座２ｂ及び支持板２ａが透光性を有している場合であれば、表示部Ｅ，Ｅ‥は台座２ｂ若しくは支持板２ａの内部、または支持板２ａの底面に描かれていてもよい。
【００２２】
尚、延長域の区分けは、必ずしも本実施例のように全ての延長域が等間隔に区分けされているものに限られず、例えば比較的延長方向に幅広の延長域と幅狭の延長域とが混在していてもよい。
【００２３】
更に尚、各延長域に対応して表示された表示部Ｅ，Ｅ‥の表示内容は、複数が表示されていれば必ずしも本実施例のように数字に限られず、例えば、「子」，「丑」，「寅」‥から成る十二支であってもよいし、また例えば、「北」，「北北東」，「北東」‥から成る十六方位であってもよいし、更に例えば、「大吉」，「中吉」，「吉」‥から成る占形であっても構わない。
【００２４】
図３（ｂ），図４に示されるように、環状路５の内底面５ａ上に、複数個（本実施例では１２個）から成る一群の移動玉３，３‥が、環状路５の延長方向に沿って各々が移動可能に載置されている。１２個の移動玉３，３‥は、各々が同径の略球体形状に研磨加工されたガラス体から成り、内１個の移動玉のみが、予め視覚的に識別された識別子としての識別玉３ａであり、他の１１個の移動玉３，３‥とは異なる色（本実施例では青色）が施され、識別玉３ａを除く１１個の移動玉３，３‥は無色透明である。
【００２５】
尚、移動玉３，３‥の個数、若しくは識別玉３ａの個数は、必ずしも本実施例に限られず、環状路に収容可能な所定個数であればよい。更に尚、本発明の複数個の移動体は、本実施例のように球体形状の移動玉３に限られず、例えば偏心した曲面から成る曲面体形状でもよいし、平面視略円形若しくは矩形等の平面体形状でも構わない。
【００２６】
更に尚、複数個の移動玉のうち、所定数の複数個（例えば３個）を識別子として識別する場合、これ等識別玉同士のうち少なくとも一部を互いに異なる色（例えば、赤色、赤色、及び黄色）で着色し、これ等識別玉同士を互いに異なる態様で識別してもよい。また、複数個の移動玉の一部に限らず、移動玉の全部が予め互いに識別された識別子であって、互いに異なる色で着色されても構わない。
【００２７】
図３（ａ），（ｂ）に示されるように、操作玉４は、環状路５の外側の内側面５ｂの径よりも大径の略球体形状に研磨加工された、透光性を有する無色透明のガラス体から成る。操作玉４は、その中心点を環状路５の中心点と平面視略同軸上に配置した位置で、すなわち１２個の移動玉３，３‥の何れとも当接する位置で、各々の移動玉３，３‥の内径側上面に載置されている。
【００２８】
尚、操作玉４の形状は、必ずしも本実施例に限られず、例えば操作体は複数個の移動玉に当接する球面形状を下半部のみに有した略半球体形状であってもよい。
【００２９】
各々の移動玉３，３‥は、各々の移動玉３，３‥の内径側上面に戴く操作玉４の重量により、環状路５内を外径方向に押圧され、外径側の内側面５ｂに当接することに成る。従って、略球体形状に形成された各々の移動玉３，３‥は、略球体形状の操作玉４と点接触し、水平方向に平面形状の環状路５の内底面５ａと点接触し、及び垂直方向に平面形状の環状路５の内側面５ｂとも点接触している。
【００３０】
窪み部６は、操作玉４の曲率半径よりも大きい曲率半径の凹形状に形成されており、操作玉４を移動玉３，３‥上に載置しても、操作玉４の下面と当接せず離間している。
【００３１】
従って、略球体形状の操作玉４は、窪み部６に向けて若干沈んだ位置で、すなわち操作玉４の下端よりも若干上側の外周面が周方向に沿って１２個の移動玉３，３‥の何れとも点接触しており、安定的な態様で１２個の移動玉３，３‥上に載置されている。
【００３２】
次に、状態現出装置１を用いた所定の状態の現出方法について、図３（ａ），（ｂ）及び図４を参照して説明する。
【００３３】
状態現出装置１の使用者は、複数の移動玉３，３‥上に載置された操作玉４を把持し、操作玉４が１２個の移動玉３，３‥上に載置された状態のままで環状路５の周方向に向けて自回転させる回転力を与える。
【００３４】
この操作玉４の自回転により、操作玉４に摩擦接触している１２個の移動玉３，３‥は駆動力を得て、操作玉４の自回転方向に環状路５の延長に沿って転がり移動し始める。尚、操作玉４及び１２個の移動玉３，３‥は、比較的摩擦係数の低いガラス体から成るため、１２個の移動玉３，３‥は、操作玉４よりも遅い速度で環状路５内を転がり周回移動する。
【００３５】
識別玉３ａを含む１２個の移動玉３，３‥は、操作玉４の経時的な自回転速度の減速により、環状路５内を漸次減速しながら周回移動し続け、最終的に静止する。このとき、識別玉３ａが静止した環状路５の何れかの延長域に対応した表示部Ｅが、所定の状態である特定表示部Ｅ’として、状態現出装置１の使用者の無作為に現出されることに成る（本実施例では、所定の状態として特定表示部Ｅ’「３」が現出）。
【００３６】
以上説明したように、本発明の状態現出装置１によれば、操作玉４の移動操作により複数個の移動玉３，３‥を環状路５の延長方向に沿って移動させることで、操作玉４、移動玉３，３‥及び支持体２の各体が互いに相対移動し、各体２，３，３‥、４の相対移動が漸次減速して静止することで、各体２，３，３‥、４の静止状態における識別子としての識別玉３ａの位置に基づき、所定の状態として複数の表示部Ｅ，Ｅ‥の中から所定の状態として特定表示部Ｅ’が現出されるように成っており、状態現出装置１の互いに重合した各体２，３，３‥、４の摩擦接触による相対移動のみの簡易な構造で、所定の状態としての特定表示部Ｅ’を無作為に現出することができる。
【００３７】
また、移動玉３，３‥を直接に接触して移動操作することなく、複数の移動玉３，３‥に摩擦接触した操作玉４を介して移動操作できるため、特定表示部Ｅ’を予め狙うなどの恣意性が排除され、無作為に特定表示部Ｅ’が現出されることになり、複数の表示部Ｅ，Ｅ‥の中から何れの表示部が現出されるかを期待する期待感が高まる。
【００３８】
また、複数個の移動玉３，３‥の各々が略球体形状に形成されているため、環状路５の延長方向に転がり移動し易い。更に、略球体形状に形成された移動玉３，３‥と摩擦接触している操作玉４が、略球体形状に形成されていることで、操作玉４を使用者の任意方向に回転操作しても、環状路５の延長方向成分の力を移動玉３，３‥に与えて、移動玉３，３‥を環状路５の延長方向に沿って移動させることが出来る。このとき、使用者の任意方向に回転操作した操作玉４自体は、環状路５の延長方向に沿って各々の移動玉３，３‥と摩擦接触していることで、その回転方向を前記した任意方向から漸次環状路５の延長方向に変えて回転することになる。
【００３９】
更に、平面視略円環形状に形成された環状路５の上方から、略球体形状に形成された操作玉４を載置することで、操作玉４が環状路５に配置された略球体形状の移動玉３，３‥のみに点接触で摩擦接触して支持されるため、略球体形状の操作玉４の支持構造を簡略化して位置決めできる。
【００４０】
また、複数個の移動玉３，３‥が、識別玉３ａを含め各々が同径の略球体形状に形成されていることで、略球体形状に形成された操作玉４の外周面を、環状路５に配置した複数の移動玉３，３‥に等しく且つ安定的に載置して支持でき、この操作玉４を環状路５の周方向に回転させることで、識別玉３ａを含めた各々の移動玉３，３‥に対し環状路５に沿って移動させる駆動力を均一に与えることができる。
【００４１】
また本発明の識別子が、操作玉４を介して移動する複数個の移動玉３，３‥のうち視覚的に識別された識別玉３ａであることで、所定の状態を現出する無作為性が高まるばかりか、識別体としての識別玉３ａを目視で容易に識別できる。尚、本発明の識別子は、必ずしも視覚的に識別されるものに限られず、例えば特定の移動体若しくは操作体の特定箇所に埋設されたチップ等から成り、所定の検知手段により電子・電磁的に検知することで識別可能であってもよい。
【００４２】
更に、本発明の所定の状態が、支持体２の環状路５を延長方向に所定数に区分けした各延長域に対応し各々が表示された複数の表示部Ｅ，Ｅ‥と、識別子としての識別玉３ａとの相対位置に基づき現出されるため、状態現出装置１単体で所定の状態を現出できるばかりか、現出する所定の状態を予め適宜設定できる。
【００４３】
また、互いに摩擦接触している操作玉４と移動玉３，３‥とが、何れもガラス体から成るため、材質が統一されて製作し易いばかりか、比較的互いに滑り易いため、各体２、３，３‥、４の相対移動が漸次減速し静止するまでの時間、すなわち特定表示部Ｅ’が選出されるまでの時間を長く取ることができ、期待感がより一層高まる。上記に加え、支持体２もガラス体から成るため、更に、状態現出装置１が製作し易く、移動玉３，３‥と環状路５とが滑り易くなる。
【００４４】
また、環状路５が断面視略凹形状に形成されていることで、複数の移動玉３，３‥が環状路５に沿って移動して遠心力を得ても、移動玉３，３‥が環状路５から飛び出てしまうことなく、略凹形状の環状路５の内部に保持できる。
【００４５】
また、複数の移動玉３，３‥を移動させる操作玉４が、透光性を備えていることで、環状路５の各延長域に対応し各々が表示された表示部Ｅ，Ｅ‥が見易くなる。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、前記実施例では、複数個から成る移動玉３，３‥が一群のみ配置されていたが、例えば本発明の変形例として図５に示されるように、状態現出装置１０は、各群が複数個から成る移動体３，３‥、３’，３’‥が、上面に環状路８、下面に環状路９を夫々備えた介在体７を介し、上下に重ねて複数群配置されており、すなわち上方から下方に向けて操作体４、複数個から成る一群の移動体３，３‥、介在体７、複数個から成る別の一群の移動体３’，３’‥、支持体２の順に重合して構成されており、各体４、３，３‥、７、３’，３’‥、２が互いに相対移動することで、所定の状態を現出するようにしてもよい。尚、各群が複数個から成る移動体の群数は、上記変形例に限られず、各群間に夫々介在体を介在させて多数群配置されてもよい。
【００４８】
また例えば、前記実施例では、環状路５を区分けした延長域数すなわち表示部Ｅ，Ｅ‥の数と、識別玉３ａを含む移動玉３，３‥の個数とが、何れも「１２」で同数であるが、例えば表示部の数が移動玉の個数よりも多くてもよいし、或いは表示部の数が移動玉の個数よりも少なくても構わない。
【００４９】
また例えば、前記実施例では、支持体２が平面視略円形状の支持板２ａと略円錐台形状の台座２ｂとから成っているが、支持体の形状は、例えば上面に環状路を備え下方に向けて漸次小径の外周面を有する略杯形状であってもよい。
【００５０】
更に例えば、前記実施例では、状態現出装置１を構成する支持体２、移動体としての移動玉３，３‥及び操作体としての操作玉４が、何れもガラス体から成っているが、支持体、移動体及び操作体の少なくとも何れか一体若しくは全体が、例えば水晶など所定種の鉱物若しくは金属から成っていてもよいし、或いは樹脂等から成っていても構わない。また、支持体、移動体若しくは操作体の加工方法については、必ずしも前記実施例で示した研磨加工に限られず、例えば金属等の材料をプレス加工するものであってよいし、または樹脂等の材料を研削加工するものであってもよいし、或いは所定の材料をプレス加工、研削加工、研磨加工を適宜組合せて加工するものであっても構わない。
【００５１】
また例えば、前記実施例では、複数個の移動玉３，３‥の中で識別玉３ａが、他の移動玉３，３‥と異なる着色により識別されているが、識別玉が視覚的に識別される態様は着色によるものに限られず、例えば識別玉が他の移動玉と異なる透明度の透明性を備えていてもよいし、また例えば識別玉が他の移動玉より若干小径の球体形状に形成されていてもよいし、更に例えば識別体が他の移動玉と異なり矩形状等の別形状に形成されていても構わない。
【００５２】
また例えば、前記実施例では、複数の表示部Ｅ，Ｅ‥は、支持体２に表示されているが、例えば表示部は、支持体に替えて或いは支持体に加えて、移動体若しくは操作体或いはこれ等両体に表示されていても構わない。尚、表示部が支持体、移動体、操作体の何れか複数体に表示されていれば、これ等複数体の静止状態における表示部同士の組合せにより、特定表示部のヴァリエーションを増やすことができる。更に、状態現出装置は、上記した表示部を有さずに識別子のみが設けられていてもよく、例えば、静止状態における当該識別子と前記状態現出装置の使用者との相対位置や、静止状態における当該識別子と前記状態現出装置の周辺に存在する固定物との相対位置や、或いは静止状態における当該識別子が位置する方位・方角に基づき、所定の状態を現出するようにしても構わない。
【符号の説明】
【００５３】
１、１０          状態現出装置
２                支持体
３                移動玉（移動体）
３ａ              識別玉（識別子、識別体）
４                操作玉（操作体）
５、８、９        環状路
７                介在体
【図１】
2011078621.tif 000003
【図２】
2011078621.tif 000004
【図３】
2011078621.tif 000005
【図４】
2011078621.tif 000006
【図５】
2011078621.tif 000007